(57)【要約】【課題】  加熱調理器が備える加熱制御機能を拡張できるようにする。【解決手段】  電子レンジに拡張ボックスが装着されてレンジ用マイコンと拡張用マイコンとが接続されると、操作キーや操作つまみの操作信号、温度センサやドアセンサの検出信号はレンジ用マイコンを介して拡張用マイコンに入力される。拡張用マイコンは、受信した操作信号及び検出信号と、当該拡張用マイコンのメモリに格納されている制御プログラムに基づき、マグネトロンやヒータの動作指示信号をレンジ用マイコンに出力し、レンジ用マイコンは受信した動作指示信号に基づきマグネトロンやヒータを駆動する。【選択図】  図８
2005172266.tif 000002
【特許請求の範囲】
【請求項１】
被加熱物を収容する加熱室と、
ヒータ及びマグネトロンを含んで構成され前記被加熱物を加熱調理する加熱手段と、
加熱調理に関する設定や指示を行うための操作キーを備え、前記操作キーの操作に応じた操作信号を出力する操作手段と、
前記被加熱物や前記加熱室内の状態を検出し、状態検出信号を出力する状態検出手段と、
前記操作信号及び前記状態検出信号が入力される第１制御手段と、
前記第１制御手段に対して取り外し可能に接続される第２制御手段とを備え、
前記第１制御手段は、前記第１及び第２制御手段が非接続状態にあるときは入力された前記操作信号及び前記検出信号に基づき前記加熱手段を制御し、前記第１及び第２制御手段が接続状態にあるときは入力された前記操作信号及び前記状態検出信号を前記第２制御手段に出力するように構成され、
前記第２制御手段は前記第１制御手段から入力された前記操作信号及び前記状態検出信号に基づき前記第１制御手段を介して前記加熱手段を制御するように構成されていることを特徴とする加熱調理器。
【請求項２】
第１制御手段に接続された第２制御手段は、前記第１制御手段に対して接続信号を出力するように構成され、前記第１制御手段は前記接続信号が入力されると、操作信号及び状態検出信号を前記第２制御手段に出力するように構成されていることを特徴とする請求項１記載の加熱調理器。
【請求項３】
被加熱物を収容する加熱室と、
ヒータ及びマグネトロンを含み前記被加熱物を加熱する加熱手段と、
加熱調理に関する設定や指示を行うための操作キーを備え、前記操作キーの操作に応じた操作信号を出力する操作手段と、
前記被加熱物や前記加熱室内の状態を検出し、状態検出信号を出力する状態検出手段と、
前記操作信号及び前記状態検出信号が入力される第１制御手段と、
前記第１制御手段に対して取り外し可能に接続される第２制御手段とを備え、
前記第１制御手段は、前記第１及び第２制御手段が非接続状態にあるときは入力された前記操作信号及び前記状態検出信号に基づき前記加熱手段を制御し、前記第１及び第２制御手段が接続状態にあるときは入力された前記操作信号及び前記状態検出信号を前記第２制御手段に出力可能に構成され、
前記第２制御手段は前記第１制御手段から前記操作信号及び前記状態検出信号が入力されると、前記操作信号及び前記状態検出信号に基づき前記第１制御手段を介して前記加熱手段を制御するように構成されていることを特徴とする加熱調理器。
【請求項４】
第１制御手段と第２制御手段とが接続状態にあることを表示する表示手段を備えていることを特徴とする請求項１ないし３のいずれかに記載の加熱調理器。
【請求項５】
第１制御手段に対して接続可能な複数種類の第２制御手段を備えると共に前記第１制御手段に接続された前記第２制御手段の種類を識別する識別手段を備え、
表示手段は前記識別手段により識別された前記第２制御手段の種類を表示するように構成されていることを特徴とする請求項４記載の加熱調理器。
【請求項６】
報知手段を備え、
第２制御手段が第１制御手段を介して加熱手段を制御しているときに前記第１制御手段と前記第２制御手段との接続が遮断されたときは、前記第１制御手段は前記報知手段に異常状態が発生したことを報知させることを特徴とする請求項１ないし５のいずれかに記載の加熱調理器。
【請求項７】
第１制御手段が操作信号及び検出信号に基づき加熱手段を制御しているときに第２制御手段が前記第１制御手段に接続されたときは、前記加熱手段の加熱動作が終了した後、前記第２制御手段が前記第１制御手段を介して前記加熱手段を制御する状態に移行することを特徴とする請求項１ないし６のいずれかに記載の加熱調理器。
【請求項８】
第２制御手段と通信網を介して接続され、操作手段の操作信号に相当する情報を前記通信網を介して前記第２制御手段に送信する端末装置を備えていることを特徴とする請求項１ないし７のいずれかに記載の加熱調理器。
【請求項９】
第２制御手段は、加熱手段の動作状態に関する情報を通信網を介して端末装置に送信するように構成され、
前記端末装置は、前記第２制御手段から受信した加熱手段の動作状態に関する情報を出力する表示部を備えていることを特徴とする請求項８記載の加熱調理器。
【発明の詳細な説明】
【技術分野】
【０００１】
本発明は、制御手段により加熱手段を制御する加熱調理器に関し、特には制御プログラムに基づき前記加熱手段を動作させて加熱調理を実行する加熱調理器に関する。
【背景技術】
【０００２】
従来の加熱調理器は、制御用マイクロコンピュータ（以下、制御用マイコン）が備えるメモリに予め格納された調理用データ及び制御プログラムに基づきマグネトロンやヒータ等の加熱手段を駆動して加熱調理を実行するように構成されている。前記調理用データは、多数の調理メニューに対応して設けられており、例えば、加熱手段の駆動時間データや加熱室や食品の設定温度データ等から構成される。
【０００３】
これに対して、外部装置から調理用データを取り込むことにより、実行可能な調理メニューの数や種類を増やしたり、調理メニューの内容を更新したりできるようにした加熱調理器が提案されている。
【特許文献１】特開２００３−１２０９３７号公報
【発明の開示】
【発明が解決しようとする課題】
【０００４】
ところが、外部装置から調理用データを取り込んでも、やはり制御用マイコンは内蔵する制御プログラムを実行する。つまり、制御プログラムが実行する処理手順は変更されないため、前記処理手順とは異なる新たな加熱制御機能を追加することはできなかった。
本発明は上記した事情に鑑みてなされたものであり、その目的は加熱制御機能を拡張することができる加熱調理器を提供することである。
【課題を解決するための手段】
【０００５】
本発明の加熱調理器は、被加熱物を収容する加熱室と、ヒータ及びマグネトロンを含んで構成され前記被加熱物を加熱調理する加熱手段と、加熱調理に関する設定や指示を行うための操作キーを備え、前記操作キーの操作に応じた操作信号を出力する操作手段と、前記被加熱物や前記加熱室内の状態を検出し、状態検出信号を出力する状態検出手段と、前記操作信号及び前記状態検出信号が入力される第１制御手段と、前記第１制御手段に対して取り外し可能に接続される第２制御手段とを備え、前記第１制御手段は、前記第１及び第２制御手段が非接続状態にあるときは入力された前記操作信号及び前記検出信号に基づき前記加熱手段を制御し、前記第１及び第２制御手段が接続状態にあるときは入力された前記操作信号及び前記状態検出信号を前記第２制御手段に出力するように構成され、前記第２制御手段は前記第１制御手段から入力された前記操作信号及び前記状態検出信号に基づき前記第１制御手段を介して前記加熱手段を制御するように構成されていることを特徴とする。
【０００６】
上記構成によれば、第２制御手段が接続されていないときは、第１制御手段は内蔵する制御プログラムと操作信号及び状態検出信号に基づき加熱手段を制御する。一方、第２制御手段が接続されると、第１制御手段は操作信号及び状態検出信号を第２制御手段に対して出力し、第２制御手段は内蔵する制御プログラムと操作信号及び状態検出信号に基づき前記第１制御手段を経由して加熱手段を制御する。
【０００７】
この場合、第１及び第２の制御手段が接続状態にあるとき、第１制御手段を、入力された前記操作信号及び前記状態検出信号を前記第２制御手段に対して出力可能に構成し、前記第１制御手段から前記操作信号及び前記状態検出信号が入力されると第２制御手段は前記第１制御手段を介して加熱手段を制御するように構成すると良い。
上記構成によれば、第１及び第２制御手段が接続されているときに、第１制御手段が直接加熱手段を制御する状態、第２制御手段が第１制御手段を経由して加熱手段を制御する状態のいずれかを選択できる。
【発明の効果】
【０００８】
本発明によれば、第１制御手段に第２制御手段を接続することにより第２制御手段が備える制御プログラムに基づく加熱制御を実行できるため、第１制御手段では実現できなかった新たな制御プログラムを第２制御手段に設けることにより加熱制御機能の大幅な拡張が可能となる。
【発明を実施するための最良の形態】
【０００９】
以下、本発明の一実施例について図１ないし図１２を参照しながら説明する。図１は本実施例に係る電子レンジ（加熱調理器に相当）の外観を示している。この図１において、電子レンジ１は、キャビネット２を備えており、その内部には加熱室２ａが設けられている。加熱室２ａの前面開口部は扉３により開閉されるようになっている。前記扉３の中央部には窓部４が設けられており、外部から加熱室２ａ内の様子を視認することができる。本実施例に係る電子レンジ１は、加熱手段としてマグネトロン５及びヒータ６（いずれも図２参照）を備えており、レンジ調理及びオーブン調理の実行が可能になっている。
【００１０】
前記キャビネット２の前面の図１中右部には操作パネル７が配設されている。操作パネル７の上部には例えば７セグメントＬＥＤからなる表示器８（表示手段に相当）が設けられている。また、操作パネル７のうち前記表示器８の下部には多数の操作キー９や操作つまみ１０を備えた操作部１１が設けられている。更に、前記キャビネット２の右側面の下部には挿入口１２が設けられている。前記挿入口１２には、外部記憶手段としての拡張ボックス１３が出し入れ可能に挿入されるようになっている。電子レンジ１は装着可能な複数種類の拡張ボックス１３を備えている。
【００１１】
図２は電子レンジ１の概略的な電気的構成を示すブロック図である。電子レンジ１が備える第１制御手段としてのマイクロコンピュータ（以下、レンジ用マイコンと称す）１４には、操作キー９及び操作つまみ１０の操作入力回路１５（操作手段に相当）が接続されている。前記入力回路１５は操作キー９や操作つまみ１０の操作に応じた操作信号を出力する。また、レンジ用マイコン１４には加熱室２ａ内の温度を検出する温度センサ１６及び扉３の開閉を検出するドアセンサ１７が接続されている。前記センサ１６，１７はいずれも状態検出手段として機能し、状態検出信号としての温度検出信号及び開閉検出信号を出力する。
【００１２】
更に、レンジ用マイコン１４には、前記表示器８や報知手段としてのブザー１８が接続されていると共に駆動回路１９，２０を介してマグネトロン５及びヒータ６がそれぞれ接続されている。また、レンジ用マイコン１４には接続インターフェース２１が接続されている。
一方、図３は拡張ボックス１３の概略的な電気的構成を示している。拡張ボックス１３は第２制御手段としてのマイクロコンピュータ（以下、拡張用マイコンと称する）２２を内蔵して構成されている。前記拡張用マイコン２２には前記レンジ用マイコン１４と接続するための接続インターフェース２３、端末装置２５（図４参照）に接続するためのネットワーク接続インターフェース２４が接続されている。拡張ボックス１３を挿入口１２に挿入すると、拡張用マイコン２２とレンジ用マイコン１４は、接続インターフェース２１，２３を通じて接続される。
【００１３】
図４に示すように、前記拡張ボックス１３は有線通信網２６を通じて端末装置２５との間で通信を行うことができるようになっている。前記端末装置２５は矩形パネル状をなしており、その前面にはタッチパネル式の液晶表示部２７や複数の操作キー２８が設けられている。また、前記端末装置２５には、ＣＰＵ，ＲＯＭ，ＲＡＭ，ハードディスク，バッテリなど（いずれも図示せず）が内蔵されている。尚、詳しい説明は省略するが、前記端末装置２５はインターネットを通じてＷｅｂサーバにアクセスしたりメールの送受信を行ったりすることができるようになっている。
【００１４】
次に上記構成の作用について図５ないし図１０を参照しながら説明する。まず、レンジ用マイコン１４の一般的な動作について図５を参照しながら説明する。図５はレンジ用マイコン１４の概略的な状態遷移図である。レンジ用マイコン１４は、電源が投入されると初期化動作を実行した（状態Ｓ０）後、待機状態となる（状態Ｓ１）。この状態で操作キー９や操作つまみ１０が操作されると、その操作に応じた操作信号が入力されて調理条件（例えば調理メニューや調理時間、加熱の強弱）等を設定する（状態Ｓ２）。この状態で取消キーに相当する操作キー９が操作されると待機状態に戻る。
【００１５】
調理条件等の設定が行われた後、スタートキーが操作されると、レンジ用マイコン１４は設定条件に応じた加熱調理を実行し（状態Ｓ３）、取り消しキーが操作されると、或いは所定の調理時間が経過して調理が終了すると、待機状態（Ｓ１）に戻る。
一方、待機状態Ｓ１において拡張用マイコン２２から例えば識別コード等のデータ（接続信号に相当）を受信すると、レンジ用マイコン１４は拡張用マイコン２２から入力される指示データに基づき加熱手段を駆動するスレーブ動作状態に移行する（状態Ｔ１）。この場合、レンジ用マイコン１４が直接、加熱手段を制御しているときに拡張用マイコン２２からのデータ入力があっても、その加熱動作が終了して待機状態になるまでレンジ用マイコン１４は拡張用マイコン２２からのデータ入力を受け付けない。このような構成により、拡張ボックス１３を、電子レンジ１にいつでも装着できる。
【００１６】
状態Ｔ１は調理条件の設定や加熱動作は行っておらず、次のデータ入力があるまで待機する状態である。状態Ｔ１に移行してから一定時間経過しても次のデータ入力がない場合は状態Ｓ１に戻る。これに対して、状態Ｔ１にて次のデータ、例えば調理条件等のデータや加熱開始データを受信すると、拡張用マイコン２２からの入力データに基づき設定動作や加熱動作を実行（即ちスレーブ動作）する（状態Ｔ２）。また、状態Ｔ２ではレンジ用マイコン１４は拡張用マイコン２２からの取消データや加熱終了データの入力に基づき加熱動作を終了し、待機状態（状態Ｔ１）となる。
【００１７】
また、レンジ用マイコン１４は、状態Ｔ２に移行してから一定時間、拡張用マイコン２２からのデータ入力がない場合、レンジ用マイコン１４は加熱動作を停止し、エラー表示する（状態Ｔ３）。つまり、拡張用マイコン２２は、加熱開始データを送信してから加熱終了データを送信するまでの間も例えば確認用のデータを一定時間毎に送信する。従って、例えば、拡張用マイコン２２からのデータ入力に基づくスレーブ動作中に拡張ボックス１３が取り外される等によりデータ入力が中断された場合は、レンジ用マイコン１４は加熱動作を強制的に終了する。そして、状態Ｔ３にて取消キーが操作されることに基づきレンジ用マイコン１４は通常の待機状態Ｓ１に移行する。
【００１８】
次に、拡張ボックス１３の非装着時に実行される加熱動作について具体的な調理メニューである「グラタン」を例に挙げて図６及び図７を参照しながら説明する。図６は「グラタン」調理の動作の流れを示すものであり、図７はそのときの表示器８の表示状態を示している。図６中、左側の直線はレンジ用マイコン１４の制御対象となる電気部品を、右側の直線はレンジ用マイコン１４を示している。また、図６の矢印はデータ入力の方向を示している。
【００１９】
待機状態Ｓ１（図５参照）にあるレンジ用マイコン１４に対して操作つまみ１０の回転量が入力回路１５を介して入力されると、レンジ用マイコン１４はその回転量に対応する調理メニュー（ここでは「グラタン」）を選択する。また、レンジ用マイコン１４は選択された調理メニューの「グラタン」に対応する表示信号を表示器８に与えると共に操作つまみ１０の操作信号が入力された旨を報知する報知信号をブザー１８に与える。
【００２０】
これにより、表示器８の表示が図７の（ａ）から（ｂ）に切り替わる。即ち、図７の（ｂ）に示すように、表示器８に「グラタン」のメニュー番号である「７」及びグラタンの調理形態を示す「オーブン」が表示される。また、ブザー１８が鳴動する。
続いて、スタートキーの操作信号がレンジ用マイコン１４に与えられると、レンジ用マイコン１４は、スタートキーの入力を知らせる報知信号をブザー１８に与えると共にヒータ６に駆動信号を与える。これにより、ブザー１８が鳴り、ヒータ６の駆動が開始される。また、レンジ用マイコン１４は、ヒータ６を駆動した後、所定時間、温度センサ１６の出力信号に基づき加熱室２ａ内の温度を検出し、ヒータ６が正常に動作しているか否かの判定を行う。
【００２１】
そして、ヒータ６が正常に動作していると判定すると、レンジ用マイコン１４は予め記憶された制御プログラム及び温度センサ１６の出力信号に基づきヒータ６を制御する。これにより、「グラタン」調理が開始される。また、レンジ用マイコン１４は調理終了までの残り時間のカウントダウンを行うと共に残り時間を表示するための表示信号を表示器８に与える。これにより、図７の（ｃ）に示すように、表示器８の上段には調理終了までの残り時間が表示される。また、下段に表示されている「オーブン」という文字は点滅してオーブン調理中であることを報知する。
【００２２】
調理終了までの残り時間が「０」になるとレンジ用マイコン１４は調理終了を報知する報知信号をブザー１８に与えると共にオフ信号をヒータ６に与える。これにより、ブザー１８が鳴動すると共にヒータ６の駆動が停止される。また、表示器８の表示状態を待機状態（状態Ｓ１、図７の（ａ））に切り替えるための表示信号が表示器８に与えられる。
続いて、拡張ボックス１３の装着時に実行される加熱動作について具体的な調理メニューである「カラッとグルメ」を例に挙げて図８ないし図１１を参照しながら説明する。「カラッとグルメ」はエビフライやコロッケ等の調理済み冷凍食品をカラッとした状態で仕上げる調理メニューであり、拡張ボックス１３の装着時にのみ実行可能である。図８は「カラッとグルメ」の調理動作の流れを示すものであり、図６に相当する。図９は「カラッとグルメ」に対応する表示器８の表示状態を示すものであり図７に相当する。図１０及び図１１は装着された拡張ボックス１３の確認動作の流れを示している。
【００２３】
まず、図１０に示すように、電子レンジ１に拡張ボックス１３が装着されると、その拡張ボックス１３のマイコン２２により加熱制御を行うことができるかを確認する動作が実行される。具体的には、拡張用マイコン２２はレンジ用マイコン１４に対して第１暗証コードを送信する。レンジ用マイコン１４は、受信した第１暗証コードと予め記憶する暗証コードとを比較し、第１暗証コードが正しいか否かを判断する。そして、第１暗証コードが正しいと判断するとレンジ用マイコン１４は第２暗証コードを拡張用マイコン２２に送信する。拡張用マイコン２２は、受信した第２暗証コードを予め記憶する暗証コードと比較し、第２暗証コードが正しいと判断すると、識別コードを送信する。
【００２４】
拡張用マイコン２２からの識別コードを受信すると、レンジ用マイコン１４はスレーブ動作の待機状態Ｔ１に移行し、拡張ボックス１３の種類を識別すると共に識別コードに対応する文字を表示器８に表示する。従って、レンジ用マイコン１４は識別手段としても機能する。例えば、図９の（ａ）は、識別コードに対応する文字として「ＥＸ１」が表示器８の下部に表示されている状態を示している。また、ブザー１８が鳴り、拡張用マイコン２２による加熱制御が可能であることを報知する。
【００２５】
一方、拡張用マイコン２２からレンジ用マイコン１４に送信された第１暗証コードが正しくない場合は図１１に示すようになる。即ち、レンジ用マイコン１４は第１暗証コードと予め記憶する暗証コードとを比較して第１暗証コードが正しくないと判断したときは暗証コードの拒否信号を拡張用マイコン２２に送信する。拡張用マイコン２２は受信した拒否信号と予め記憶する暗証コードとを比較する。そして、受信した信号が第２暗証コードではないと判断すると再び第１暗証コードを送信する。拡張用マイコン２２はレンジ用マイコン１４に対する暗証コードの送信を例えば３回繰り返してもレンジ用マイコン１４から第２暗証コードが正しく送信されなかった場合は、レンジ用マイコン１４に対してエラー信号を送信する。これにより、レンジ用マイコン１４は、拡張ボックス１３が正しくない旨を表示器８に表示すると共にブザー１８を鳴らしてエラー報知する。この後、拡張用マイコン２２からレンジ用マイコン１４に対してデータ入力はなされないため、レンジ用マイコン１４は待機状態Ｓ１に戻る。
【００２６】
さて、拡張用マイコン２２による加熱制御が可能であることが確認され、スレーブ動作を待機する状態Ｔ１に移行したレンジ用マイコン２２に対して操作つまみ１０の回転量が入力されると、レンジ用マイコン１４はその回転量データを拡張用マイコン２２に対して送信する。拡張用マイコン２２は、受信した回転量データに基づき調理メニュー「カラッとグルメ」を選択する。また、拡張用マイコン２２は、「カラッとグルメ」に対応する表示指示信号及び操作つまみ１０の操作信号が入力された旨を報知するための報知指示信号をレンジ用マイコン１４に対して送信する。
【００２７】
これにより、レンジ用マイコン１４は表示信号及び報知信号を表示器８及びブザー１８に与え、この結果、表示器８に「カラッとグルメ」のメニュー番号である「Ａ−１」及び「カラッとグルメ」の調理形態である「レンジ」及び「オーブン」が表示される（図９の（ｂ）参照）。尚、メニュー番号「Ａ−１」の「Ａ」は拡張用マイコン２２が実行する調理メニュー（拡張メニュー）であることを示している。また、ブザー１８が鳴動する。
【００２８】
続いて、スタートキーが操作される、レンジ用マイコン１４はスタートキーの操作信号を拡張用マイコン２２に送信する。すると、拡張用マイコン２２はスタートキーの入力を知らせるための報知指示信号をレンジ用マイコン１４に対して送信し、これに応じてレンジ用マイコン１４は報知信号をブザー１８に与える。また、図示しないが、拡張用マイコン１４は調理終了までの残り時間のカウントダウンを行うと共に残り時間を表示するための表示指示信号をレンジ用マイコン１４に送信し、これに応じてレンジ用マイコン１４は表示信号を表示器８に与える。この結果、図９の（ｃ）に示すように、表示器８の上段に調理終了までの残り時間が表示される。
【００２９】
更に、拡張用マイコン２２は予め記憶された制御プログラムに基づき加熱手段の駆動指示信号をレンジ用マイコン１４に送信し、これに応じてレンジ用マイコン１４は加熱手段の駆動信号を加熱手段に与える。「カラッとグルメ」調理では調理開始から１分間はレンジ調理が行われ、その後、オーブン調理が行われる。従って、拡張用マイコン２２は、初めにマグネトロン５の駆動指示信号をレンジ用マイコン１４に送信し、レンジ用マイコン１４は駆動信号をマグネトロン５に与える。これにより、マグネトロン５が駆動される。このとき、図９の（ｃ）に示すように、表示器８の中段に表示されている「レンジ」及び「オーブン」という文字のうち「レンジ」が点滅しレンジ調理中であることを報知する。
【００３０】
調理開始から１分間が経過すると、拡張用マイコン２２はマグネトロン５の停止指示信号及びヒータ６の駆動指示信号をレンジ用マイコン１４に送信し、レンジ用マイコン１４はこれらの信号をそれぞれマグネトロン５及びヒータ６に与える。これにより、マグネトロン５の駆動が停止し、ヒータ６の駆動が開始される。また、図示しないが、拡張用マイコン２２は、表示器８の「レンジ」という文字の表示を中止すると共に「オーブン」表示を点滅させるための表示指示信号をレンジ用マイコン１４に対して送信する。これにより、図９の（ｄ）に示すように、表示器８の「レンジ」という表示が消え、「オーブン」という表示が点滅する。
【００３１】
ヒータ６の駆動が開始されると、レンジ用マイコン１４は拡張用マイコン２２からの指示に応じて温度センサ１６の温度検出データを拡張用マイコン２２に送信する。拡張用マイコン２２は、受信した温度検出データに基づき加熱室２ａ内の温度を検出し、ヒータ６が正常に動作しているか否かの判定を行う。
そして、ヒータ６が正常に動作していると判定すると、拡張用マイコン２２は予め記憶された制御プログラム及びレンジ用マイコン１４から受信した温度検出データに基づきヒータ６の制御指示信号を送信する。これにより、オーブン調理が開始される。また、拡張用マイコン２２は調理終了までの残り時間のカウントダウンを行うと共に残り時間を表示するための表示指示信号を表示器８に与える。これにより、図９の（ｄ）に示すように、表示器８の上段に調理終了までの残り時間が表示される。
【００３２】
調理終了までの残り時間が「０」になると拡張用マイコン２２は調理終了を報知する報知指示信号及びヒータ６のオフ指示信号をレンジ用マイコン１４に与える。これにより、レンジ用マイコン１４はブザー１８に報知信号を与える。また、オフ信号がヒータ６に与えられ、ヒータ６の駆動が停止される。更に、表示器８の表示状態を待機状態（図９の（ａ））に切り替えるための表示指示信号がレンジ用マイコン１４に与えられる。
【００３３】
尚、図１２は、拡張ボックス１３に接続された端末装置２５により調理メニューの設定や調理開始の指示等を行う場合における端末装置２５の表示装置２７の表示状態の一例を示している。端末装置２５の操作キー２８を操作して電子レンジ１の操作手段として機能するモードに設定すると、図１２に示すように、端末装置２５の表示装置２７には電子レンジ１の表示器８に相当する表示画面３０、操作部１１に相当する操作画面３１が表示される。
【００３４】
操作画面３１がタッチ操作されると、そのタッチ操作信号は拡張用マイコン２２に送信される。拡張用マイコン２２は受信したタッチ操作信号に基づいて加熱手段の駆動指示信号やブザー１８の報知指示信号、表示器８の表示指示信号をレンジ用マイコン１４に送信する。レンジ用マイコン１４は、受信した指示信号に基づき表示器８やブザー１８、加熱手段に動作信号を与える。
【００３５】
また、端末装置２５は、操作画面３１のタッチ操作に応じて表示画面３０の表示を切り替える。例えば、図１２に示す端末装置２５の表示画面３０は、電子レンジ１の表示器８の表示が図９の（ｄ）に示す状態に対応する。
このように本実施例によれば、着脱可能な拡張ボックス１３を設け、前記拡張ボックス１３が電子レンジ１に装着されて拡張用マイコン２２とレンジ用マイコン１４とが接続されると、レンジ用マイコン１４は操作キー９や操作つまみ１０の操作信号、温度センサ１６やドアセンサ１７の検出信号を拡張用マイコン２２に出力する。そして、拡張用マイコン２２は、レンジ用マイコン１４から送信された操作信号及び検出信号と内蔵する制御プログラムとに基づきマグネトロン５やヒータ６を制御する。これにより、レンジ用マイコン１４が備える制御プログラムの処理手順に対応していない新たな加熱制御方法による調理メニューを電子レンジ１で実行することができる。
【００３６】
拡張用マイコン２２とレンジ用マイコン１４とが接続されると、拡張用マイコン２２はレンジ用マイコン１４に対して第１暗証コードを出力し、レンジ用マイコン１４は受信した第１暗証コードに基づき装着された拡張ボックス１３が適合しているか否かを判定する。拡張ボックス１３が適合していると判定するとレンジ用マイコン１４は第２暗証コードを出力し、拡張用マイコン２２は受信した第２暗証コードに基づき電子レンジ１が適合しているか否かを判定する。つまり、電子レンジ１と拡張ボックス１３の組み合わせた正しいか否かの判定処理を２回行うようにしたため、誤判定を防止できる。
【００３７】
電子レンジ１が適合していると判定すると、拡張用マイコン２２は識別コードをレンジ用マイコン１４に対して出力する。レンジ用マイコン１４は受信した識別コードに基づき拡張ボックス１３の種類を識別すると共に識別コードに対応する文字を表示器８に表示させる。これにより、使用者は拡張用マイコン２２とレンジ用マイコン１４とが接続されたこと、及び装着された拡張ボックス１３の種類を認識できる。
【００３８】
また、識別コードを受信するとレンジ用マイコン１４は、操作信号、検出信号を拡張用マイコン２２に対して出力する。従って、電子レンジ１と拡張ボックス１３とが適合していないにもかかわらず、操作信号や検出信号が誤ってレンジ用マイコン１４から拡張用マイコン２２に対して出力されることがない。
一方、拡張用マイコン２２からのデータ入力に基づき加熱調理が行われているときに拡張ボックス１３が取り外されると、レンジ用マイコン１４は表示器８にエラー表示させると共に加熱調理を強制的に終了させる。これにより、拡張用マイコン２２による加熱制御不能状態となったときにマグネトロン５やヒータ６が駆動し続けることがなくなるため、安全性が向上する。また、エラー表示により、使用者は不具合の発生を認識できる。
【００３９】
また、拡張ボックス１３に端末装置２５を接続することにより、電子レンジ１の操作部１１と同様の操作を端末装置２５で行うことができる。これにより、電子レンジ１の遠隔操作が可能になる。また、上記構成では、遠隔操作のための制御プログラムを拡張用マイコン２２に格納することができるため、レンジ用マイコン１４のメモリの容量を大きくしなくても済む。
【００４０】
尚、本発明は上記した実施例に限定されるものではなく、例えば次のような変形が可能である。
レンジ用マイコン１４が拡張用マイコン２２の識別コードに対応する文字を表示器８に表示するように構成したが、拡張用マイコン２２がレンジ用マイコン１４を介して表示器８に表示させるように構成しても良い。
【００４１】
拡張ボックス１３と端末装置２５とは無線通信網を通じて通信するようにしても良い。
拡張ボックス１３が装着されたときに、レンジ用マイコン１４が加熱制御を行う状態と、拡張用マイコン２２がレンジ用マイコン１４を経由して加熱制御を行う状態とを選択できるように構成しても良い。このような構成によれば、電子レンジ１に拡張ボックス１３を常時、装着しておくことができる。
【図面の簡単な説明】
【００４２】
【図１】本発明の一実施例を示す電子レンジ及び拡張ボックスの概略的な外観斜視図
【図２】電子レンジの電気的構成を示すブロック図
【図３】拡張ボックスの電気的構成を示すブロック図
【図４】拡張ボックスに端末装置が接続された状態で示す図１相当図
【図５】レンジ用マイコンの状態遷移図
【図６】拡張ボックス非装着時に実行される加熱動作の流れを説明するための図
【図７】拡張ボックスの非装着時に実行される加熱調理時の電子レンジの表示器の表示状態を示す図
【図８】拡張ボックスの装着時に実行される加熱動作の流れを説明するための図
【図９】拡張ボックスの装着時に実行される加熱調理時の電子レンジの表示器の表示状態を示す図
【図１０】装着された拡張ボックスが適合しているときの確認動作の流れを説明するための図
【図１１】装着された拡張ボックスが不適合であるときの確認動作の流れを説明するための図
【図１２】調理条件設定時における端末装置の外観斜視図
【符号の説明】
【００４３】
図面中、１は電子レンジ（加熱調理器）、２ａは加熱室、５はマグネトロン、６はヒータ、８は表示器（表示手段）、９は操作キー、１３は拡張ボックス、１４はレンジ用マイクロコンピュータ（第１制御手段）、１５は入力回路（操作手段）、１６は温度センサ（状態検出手段）、１７はドアセンサ（状態検出手段）、１８はブザー（報知手段）、２２は拡張用マイクロコンピュータ（第２制御手段）、２５は端末装置、２６は通信網、２７は液晶表示部を示す。
【図１】
2005172266.tif 000003
【図２】
2005172266.tif 000004
【図３】
2005172266.tif 000005
【図４】
2005172266.tif 000006
【図５】
2005172266.tif 000007
【図６】
2005172266.tif 000008
【図７】
2005172266.tif 000009
【図８】
2005172266.tif 000010
【図９】
2005172266.tif 000011
【図１０】
2005172266.tif 000012
【図１１】
2005172266.tif 000013
【図１２】
2005172266.tif 000014